(57)【要約】【課題】画像形成動作後の各設定情報を格納し、次の画像形成動作において格納された履歴情報を利用して設定することにより、設定の煩わしさを軽減して、設定を正確に行うことができる画像形成装置を提供する。【解決手段】このデジタル複写機１００は原稿画像を読み込んで光電変換する画像読み取り部７０と、読み取った画像データを変倍する変倍部７１と、全体の制御を司るＣＰＵ部７２と、設定値を設定する操作部７３と、画像読み取り部７０の原稿を搬送する読み取りモータを制御する読み取りモータ制御部７４と、印刷のための用紙を給紙する用紙給紙部７５と、図示しない画像処理部、画像記憶部、印字合成部を介して画像を形成する画像形成部７６と、を備えて構成される。【選択図】      図２
2005033380.tif 000002
【特許請求の範囲】
【請求項１】
原稿画像データを読み取る画像読み取り部と、前記原稿画像データに所定の画像編集処理を加える画像処理部と、前記所定の画像編集処理の設定値を設定する操作部と、該操作部の設定内容を表示する表示部と、前記操作部により設定された設定値を格納する設定値記憶部とを備えた画像形成装置であって、
画像形成動作が実行された場合、前記操作部により設定された画像編集処理の各設定値を前記設定値記憶部に格納し、次の画像形成動作が実行される際に前記設定値記憶部に格納された設定値を履歴情報として利用可能とすることを特徴とする画像形成装置。
【請求項２】
前記画像形成動作を実行する際に、前記操作部により画像編集処理の各設定値を設定する場合、前記設定値記憶部に格納された履歴情報としての各設定値を読み出して前記表示部に表示し、表示された前記履歴情報から必要な設定値を選択して設定した後、前記設定値記憶部に該設定値を格納することを特徴とする請求項１に記載の画像形成装置。
【請求項３】
前記設定値記憶部に格納された履歴情報としての各設定値を読み出して前記表示部に表示し、表示された前記履歴情報から必要な設定値を選択して設定する際、設定値に新たに追加項目が必要な場合は、前記操作部により適宜追加を行い前記設定値記憶部に該設定値を格納することを特徴とする請求項２に記載の画像形成装置。
【請求項４】
前記設定値記憶部に格納された設定値は、該設定値記憶部より読み出されて前記画像処理部により編集後、画像形成されて印刷出力を可能とすることを特徴とする請求項１乃至３の何れか一項に記載の画像形成装置。
【発明の詳細な説明】
【０００１】
【発明の属する技術分野】
本発明は、画像形成装置に関し、さらに詳しくは、画像編集処理の設定値の設定方法を簡略化する技術に関するものである。
【０００２】
【従来の技術】
従来の画像形成装置においては、複数の原稿毎に異なった変倍率、合成、編集等の設定にて複写を行う場合、その原稿毎に一度設定された設定情報をクリアして次の画像形成に応じた設定を行わなければならなかった。そのため複数の異なる設定情報の複写動作を行った場合、どの設定情報の画像形成動作の実行が終わっているのかを確認する手段が無かった。また設定情報を紙に印刷して出力できないため、どの様な設定情報にて出力されたものか確認する手段が無かった。
このような履歴情報に関する従来技術として特開平１１−３４１２１２号公報には、ユーザにジョブの実行結果を確実に知らせることができる複数ジョブ受け付け可能なデジタル複写機について開示されている。それによると、画像形成に関する複数のジョブを受け付ける機能を有する画像形成装置において、過去に行ったジョブの実行履歴を保存し、その保存された実行履歴を表示することが開示されている。
また特開２０００−２９６４４公報には、入力されている画像形成ジョブ及び過去に行われた画像形成ジョブの状況を容易に把握する技術として、履歴記憶部に記憶される過去に行った画像形成ジョブの実行履歴と、画像メモリに記憶される入力された画像形成ジョブの実行状況を操作部のタッチパネルに一覧表示する構成について開示されている。
【特許文献１】特開平１１−３４１２１２号公報
【特許文献２】特開２０００−２９６４４公報
【０００３】
【発明が解決しようとする課題】
しかし、従来の画像形成装置における設定方法は、以前設定した設定値と同一の場合でも再度同一の設定を行う必要があり、同じ操作を繰り返し行わなければならないといった煩わしさがあった。また誤って設定値をクリアしてしまった場合、同様に再度同一の設定を行わなければならないといった操作上の問題があった。
また特許文献１に開示されている従来技術は、過去に行ったジョブの実行履歴を保存し、その保存された実行履歴を表示するものであり、表示された実行履歴をそのまま設定値として設定することができないため、設定のための煩わしさを解消していないといった問題がある。
また特許文献２に開示されている従来技術は、履歴記憶部に記憶される過去に行った画像形成ジョブの実行履歴と、画像メモリに記憶される入力された画像形成ジョブの実行状況を操作部のタッチパネルに一覧表示するものであり、特許文献１と同様の問題がある。
本発明は、かかる課題に鑑み、画像形成動作後の各設定情報を格納し、次の画像形成動作において格納された履歴情報を利用して設定することにより、設定の煩わしさを軽減して、設定を正確に行うことができる画像形成装置を提供することを目的とする。
【０００４】
【課題を解決するための手段】
本発明はかかる課題を解決するために、請求項１は、原稿画像データを読み取る画像読み取り部と、前記原稿画像データに所定の画像編集処理を加える画像処理部と、前記所定の画像編集処理の設定値を設定する操作部と、該操作部の設定内容を表示する表示部と、前記操作部により設定された設定値を格納する設定値記憶部とを備えた画像形成装置であって、画像形成動作が実行された場合、前記操作部により設定された画像編集処理の各設定値を前記設定値記憶部に格納し、次の画像形成動作が実行される際に前記設定値記憶部に格納された設定値を履歴情報として利用可能とすることを特徴とする。
従来の画像形成装置における設定値の設定は、１つのジョブ単位で行っていたため、各ジョブ毎に設定値が異なる場合、前の設定値を一旦クリアにして再度設定値を設定しなければならなかった。そのため、異なる複数のジョブを同時に行う場合、操作者の苦労は大変なものであった。また、画像形成動作が開始した後、設定値が異なることが気づいた場合、それまでの印刷出力が無駄になっていた。この主な原因は、一度設定した設定値を記憶しておく手段がないためである。そこで本発明では、所定の設定条件により各設定値を設定後、画像形成動作を開始した場合、その画像形成動作が終了すると設定された設定値を設定値記憶部に格納しておき、次の画像形成動作の際に格納された設定値を有効に利用して、もし同じ設定値があればそれを流用することにより、新たに設定しなおす手間を省くものである。
かかる発明によれば、画像形成動作前に設定した設定値を、設定値記憶部に格納しておくので、次の画像形成動作の際に格納された設定値を履歴情報として有効に利用することができ、操作の煩わしさを軽減することができる。
請求項２は、前記画像形成動作を実行する際に、前記操作部により画像編集処理の各設定値を設定する場合、前記設定値記憶部に格納された履歴情報としての各設定値を読み出して前記表示部に表示し、表示された前記履歴情報から必要な設定値を選択して設定した後、前記設定値記憶部に該設定値を格納することを特徴とする。
従来の画像形成装置においては、履歴情報を表示する技術は既にあったが、本発明では表示された設定値から使用可能な設定値が存在した場合、それを選択して利用し、新たな設定値として設定値記憶部に記憶するものである。そしてその記憶された設定値がまた新たな履歴情報となる。
かかる発明によれば、設定値記憶部に記憶された履歴情報を表示して、その中から利用できる設定値を新たな設定値として記憶するので、設定が迅速に行われ、且つ設定の煩わしさを軽減することができる。
【０００５】
請求項３は、前記設定値記憶部に格納された履歴情報としての各設定値を読み出して前記表示部に表示し、表示された前記履歴情報から必要な設定値を選択して設定する際、設定値に新たに追加項目が必要な場合は、前記操作部により適宜追加を行い前記設定値記憶部に該設定値を格納することを特徴とする。
請求項２で表示された設定値がそのまま使用できない場合もある。そのような場合は、設定値を新たに追加して新たな設定値として記憶することも必要である。この追加は表示内容を見ながら操作部から行うことができる。
かかる発明によれば、表示部に表示された設定値の追加が可能であるので、少ない入力操作により迅速に希望する設定値を設定することができる。
請求項４は、前記設定値記憶部に格納された設定値は、該設定値記憶部より読み出されて前記画像処理部により編集後、画像形成されて印刷出力を可能とすることを特徴とする。
履歴情報を表示部で見ながら設定値を設定してもよいが、設定履歴を追いかける場合その内容を紙に印刷した方が便利な場合がある。そこで本発明では、必要であれば、設定内容を紙に印刷して出力することもできる。
かかる発明によれば、必要であれば、設定内容を紙に印刷して出力することも可能であるので、画像形成装置を稼動させなくとも設定内容の確認をすることができる。
【０００６】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態に係るデジタル複写機の概略構成図である。この構成は、画像処理装置としての複写機１００であり、この複写機１００の上面にはコンタクトガラス６が設けられている。また、複写機１００の上部には自動原稿送り装置（以下、単にＡＤＦという）１が設けられており、このＡＤＦ１はコンタクトガラス６を開閉するように複写機１００に図示しないヒンジ等を介して連結されている。このＡＤＦ１は、複数の原稿からなる原稿束を載置可能な原稿載置台としての原稿トレイ２と、原稿トレイ２に載置された原稿束から原稿を１枚ずつ分離してコンタクトガラス６に向かって搬送する分離・搬送手段と、分離・搬送手段によってコンタクトガラス６に向かって搬送された原稿をコンタクトガラス６上の読取位置に搬送・停止させるとともに、コンタクトガラス６の下方に配設された複写機１００の読取手段（公知の露光ランプ５１、ミラー５２、５５、５６、レンズ５３、ＣＣＤ５４等）５０により読み取りが終了した原稿をコンタクトガラス６から搬出する。給紙モータはコントローラからの出力信号によって駆動されるようになっており、コントローラは複写機１００から給紙スタート信号が入力されると、給紙モータを正・逆転駆動するようになっている。給紙モータが正転駆動されると、給送ローラ３が時計方向に回転して原稿束から最上位に位置する原稿が給紙され、コンタクトガラス６に向かって搬送される。この原稿の先端が原稿セット検知センサ７によって検知されると、コントローラは原稿セット検知センサ７からの出力信号に基づいて給紙モータを逆転駆動させる。これにより、後続する原稿が進入するのを防止して分離されないようになっている。
【０００７】
また、コントローラは原稿セット検知センサ７が原稿の後端を検知したとき、この検知時点からの搬送ベルトモータの回転パルスを計数し、回転パルスが所定値に達したときに、給送ベルト４の駆動を停止して給送ベルト４を停止することにより、原稿をコンタクトガラス６読取位置に停止させる。また、コントローラは原稿セット検知センサ７によって原稿の後端が検知された時点で、給紙モータを再び駆動し、後続する原稿を上述したように分離してコンタクトガラス６に向かって搬送し、この原稿が原稿セット検知センサ７によって検知された時点からの給紙モータのパルスが所定パルスに到達したときに、給紙モータを停止させて次原稿を先出し待機させる。そして、原稿がコンタクトガラス６の読取位置に停止したとき、複写機１００によって原稿の読み取りおよび露光が行なわれる。この読み取りおよび露光が終了すると、コントローラには複写機１００から信号が入力されるため、コントローラはこの信号が入力すると、搬送ベルトモータを正転駆動して、搬送ベルト１６によって原稿をコンタクトガラス６から排送ローラ５に搬出する。
上記のように、ＡＤＦ１にある原稿トレイ２に原稿の画像面を上にして置かれた原稿束は、操作部上のプリントキーが押下されると、一番上の原稿からコンタクトガラス６上の所定の位置に給送される。給送された原稿は、読み取りユニット５０によってコンタクトガラス６上の原稿の画像データを読み取り後、給送ベルト４および反転駆動コロによって排出口Ａ（原稿反転排出時の排出口）に排出される。さらに、原稿トレイ２に次の原稿が有ることを検知した場合、前原稿と同様にコンタクトガラス６上に給送される。
第１トレイ８、第２トレイ９、第３トレイ１０に積載された転写紙は、各々第１給紙ユニット１１、第２給紙ユニット１２、第３給紙ユニット１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８に搬送される。排紙ユニット１８に搬送された転写紙は、ステープルモードを行わない場合は、排紙トレイ１９に排紙される。
【０００８】
図２は本発明のデジタル複写機の制御系の構成を示すブロック図である。このデジタル複写機１００は原稿画像を読み込んで光電変換する画像読み取り部７０と、読み取った画像データを変倍する変倍部７１と、全体の制御を司るＣＰＵ部７２と、設定値を設定する操作部７３と、画像読み取り部７０の原稿を搬送する読み取りモータを制御する読み取りモータ制御部７４と、印刷のための用紙を給紙する用紙給紙部７５と、図示しない画像処理部、画像記憶部、印字合成部を介して画像を形成する画像形成部７６と、を備えて構成される。
次に図２を参照して本発明の第１の実施形態に係るデジタル複写機１００の動作について説明する。図２の画像読み取り部７０より原稿の画像データを読み取り、操作部７３で設定した内容により変倍部７１、画像形成部７６により画像を形成して出力する際に、その処理の内容を操作部７３により設定した内容を図示しない設定値記憶部へ格納するものである。即ち、操作部７３により各種設定（例えば、出力枚数、出力給紙段、編集、移動／消去、印字方法等）を行う。次に画像読み取り部７０により原稿の画像データを読み取る。そしてその画像データを変倍部７１により画像の変倍を行い、画像形成部７６の画像処理部で画像に関する各種編集を行う。そして操作部７３で設定した内容により変倍、画像処理などを行い画像を形成して出力する。そして操作部７３により設定した設定内容を図示しない設定値記憶部へ格納する。
本発明の最も大きな特徴は、所定の設定条件により各設定値を設定後、画像形成動作を開始した場合、その画像形成動作が終了すると設定された設定値を設定値記憶部に格納するところにある。従って、従来の画像形成装置における設定値の設定時に発生する課題を解決することができる。即ち、所定の設定条件により各設定値を設定後、画像形成動作を開始した場合、その画像形成動作が終了すると設定された設定値を設定値記憶部に格納しておき、次の画像形成動作の際に格納された設定値を有効に利用して、もし同じ設定値があればそれを流用することにより、新たに設定しなおす手間を省くものである。
【０００９】
図３は図２の動作を更に詳細に説明するためのフローチャ−トである。画像読み取り部７０より原稿の画像データを読み取り、操作部７３で設定値を設定する場合、以前に設定値記憶部に格納されている情報に履歴情報があるか否かをチェックする（Ｓ１）。無ければ（Ｓ１でＮＯのルート）Ｓ５に進み、操作部７３により必要な設定情報を入力する（Ｓ５）。ステップＳ１で履歴情報が存在する場合は（Ｓ１でＹＥＳのルート）、この履歴情報から設定値を設定するか否かを判断し（Ｓ２）履歴情報から設定しないのであれば（Ｓ２でＮＯのルート）Ｓ５に進み、履歴情報から設定するのであれば（Ｓ２でＹＥＳのルート）、設定履歴を設定値記憶部から読み出して選択する（図４参照）（Ｓ３）。そして読み出した設定履歴情報に追加があるか否かを判断し（Ｓ４）、追加がない場合は（Ｓ４でＮＯのルート）Ｓ６に進み、追加がある場合は（Ｓ４でＹＥＳのルート）操作部７３により必要な設定情報を入力し（図５参照）（Ｓ５）、全て終了するまで継続する（Ｓ６）。入力が終了すると（Ｓ６でＹＥＳのルート）、その新たな設定値を設定値記憶部に退避（記憶）して（Ｓ７）、画像形成部７６により画像形成処理が行われ（Ｓ８）、画像形成処理が実行終了するまで継続される（Ｓ９）。図４は図３のフローチャートにおいて、ステップＳ３で設定履歴を設定値記憶部から読み出して表示するフローチャートである。まず設定値記憶部からデータを読み出し（Ｓ１１）、例えばＬＣＤ画面へ表示し（Ｓ１２）、履歴があるまで繰り返す（Ｓ１３）。
図５は図３のフローチャートにおいて、ステップＳ５で操作部７３により必要な設定情報を入力するフローチャートである。初期状態と設定情報との比較を行い（Ｓ１５）、差分がある場合はその差分を取り込む（Ｓ１６）。
【００１０】
図６は図４、５の動作を更に詳細に説明するための図である。まず表示画面８０には初期状態の画面が表示されている。そして履歴情報の確認をするために「履歴確認」ボタン８０ａを押すと、画面が８１に変わり実行履歴画面となる。この画面には実行履歴として０１、０２の履歴内容が表示されている。もしこの画面に無ければ「次ページ」ボタン８１ａを押す。すると画面が８２に変わり次の実行履歴０３、０４の内容が表示される。例えば、この画面で実行履歴０３の詳細を見たい場合は、操作部７３により番号「０３」を指定すると、画面８３に変わり履歴０３の詳細な内容が表示される。そして操作者がこの画面を利用する場合は「設定」ボタン８３ｂを押すと画面上の設定値が設定される。この例では「取消」ボタン８３ａを押した場合であり、画面は元の８２の画面に戻る。８２の画面で「次ページ」ボタン８２ｂを押すと画面が８４に変わり、次の実行履歴０５、０６の内容が表示される。この例では実行履歴はここまでであるので、「次ページ」のボタンはマスクされ、「前ページ」８４ａのみが使用可能となる。これ以降前ページに戻るのであれば、「前ページ」ボタン８４ａを押すことにより前の画面に戻ることができる。
尚、従来の画像形成装置においても履歴情報を表示する技術は既にあったが、本発明では表示された設定値から使用可能な設定値が存在した場合、それを選択して利用し、設定値の追加を行って新たな設定値として設定値記憶部に記憶するものである。そしてその記憶された設定値がまた新たな履歴情報となる。また履歴情報を表示部で見ながら設定値を設定してもよいが、設定履歴を追いかける場合その内容を紙に印刷した方が便利な場合がある。そこで本発明では、必要であれば、設定内容を紙に印刷して出力することもできる。
【００１１】
【発明の効果】
以上記載のごとく請求項１の発明によれば、画像形成動作前に設定した設定値を、設定値記憶部に格納しておくので、次の画像形成動作の際に格納された設定値を履歴情報として有効に利用することができ、操作の煩わしさを軽減することができる。
また請求項２では、設定値記憶部に記憶された履歴情報を表示して、その中から利用できる設定値を新たな設定値として記憶するので、設定が迅速に行われ、且つ設定の煩わしさを軽減することができる。
また請求項３では、表示部に表示された設定値の追加が可能であるので、少ない入力操作により迅速に希望する設定値を設定することができる。
また請求項４では、必要であれば、設定内容を紙に印刷して出力することも可能であるので、画像形成装置を稼動させなくとも設定内容の確認をすることができる。
【図面の簡単な説明】
【図１】本発明の一実施形態に係るデジタル複写機の概略構成図である。
【図２】本発明のデジタル複写機の制御系の構成を示すブロック図である。
【図３】本発明の図２の動作を更に詳細に説明するためのフローチャ−トである。
【図４】本発明の図３のフローチャートにおいて、ステップＳ３で設定履歴を設定値記憶部から読み出して表示するフローチャートである。
【図５】本発明の図３のフローチャートにおいて、ステップＳ５で操作部７３により必要な設定情報を入力するフローチャートである。
【図６】本発明の図４、５の動作を更に詳細に説明するための図である。
【符号の説明】
７０  画像読み取り部、７１  変倍部、７２  ＣＰＵ部、７３  操作部、７４モータ制御部、７５  用紙給紙部、７６  画像形成部
【図１】
2005033380.tif 000003
【図２】
2005033380.tif 000004
【図３】
2005033380.tif 000005
【図４】
2005033380.tif 000006
【図５】
2005033380.tif 000007
【図６】
2005033380.tif 000008